(57)【要約】【課題】タスク域のみを効果的に空調して空調エネルギーを従来に比べて大幅に削減することができるパーソナル空調システムを提供する。【解決手段】室内Ｒは、床３から立ち上げられたパーティション２により、タスク域Ｔ（執務スペース）とアンビエント域Ａ（人の滞在が非定常であるスペース）に仕切られている。室内Ｒは全面床吹出し空調とされており、二重床とされた床下が給気チャンバ５として利用される。一方、天井４には吸気口４ａが設けられており、天井４より上は還気チャンバ６として利用される。床３は、通気性ＯＡフロアと、その上に敷きつめられた通気性タイルカーペットから構成されており、アンビエント域Ａのみ、通気性ＯＡフロアと通気性タイルカーペットとの間に、通気を遮断するための遮断フィルムがアンビエント域Ａの床３全面に渡って敷きつめられている。【選択図】図１
2007155222.tif 000002
【特許請求の範囲】
【請求項１】
室内が、床から立ち上げられたパーティションに囲まれた上方に開放するタスク域と、当該タスク域に隣接するアンビエント域に区画され、前記タスク域内のみ空調されていることを特徴とするパーソナル空調システム。
【請求項２】
前記室内が全面床吹出し空調とされ、前記アンビエント域の床面には通気を遮断するための遮断シートが敷きつめられていることを特徴とする請求項１に記載のパーソナル空調システム。
【請求項３】
前記タスク域にパーソナル吹出し口が設けられていることを特徴とする請求項１に記載のパーソナル空調システム。
【請求項４】
前記タスク域に設置された人感センサが執務者を感知して前記パーソナル吹出し口から空調空気が吹き出すことを特徴とする請求項３に記載のパーソナル空調システム。
【発明の詳細な説明】
【技術分野】
【０００１】
本発明は、個人の執務スペースを対象として空調を行うパーソナル空調システムに関する。
【背景技術】
【０００２】
タスク域（執務スペース）とアンビエント域（人の滞在が非定常であるスペース）に分けて空調するタスク・アンビエント空調がある。この空調方式では、タスク域を重点的に空調し、アンビエント域の空調設定を緩和することで、省エネルギーとタスク域における温熱環境の快適性を両立させている。
しかしながら、従来のタスク・アンビエント空調は、タスク域とアンビエント域の境界がオープンなため、タスク域での空調空気とアンビエント域の空気が混ざりやすく、効果的にタスク域のみを空調することができなかった。
【０００３】
そこで、特許文献１では、タスク域とアンビエント域とをパーティションで仕切り、タスク域に対しては二重床から床吹出し方式によって給気し、アンビエント域に対してはタスク域に給気する空調空気と同じ空気源から供給された空調空気を二重床から置換換気チャンバに導入し、アンビエント域に給気する空調方法および空調システムが開示されている。
【特許文献１】特開２００３−２７９１００号公報
【発明の開示】
【発明が解決しようとする課題】
【０００４】
しかしながら、特許文献１に記載された空調方法および空調システムの場合、タスク域に給気する空調空気と同じ空気源から供給された空調空気を二重床から置換換気チャンバに導入し、アンビエント域に給気するため、空調システムが複雑になるうえ、空調エネルギーも従来に比べてさほど削減できないという問題がある。
【０００５】
本発明は、上述する問題点に鑑みてなされたもので、タスク域のみを効果的に空調して空調エネルギーを従来に比べて大幅に削減することができるパーソナル空調システムを提供することを目的とする。
【課題を解決するための手段】
【０００６】
上記目的を達成するため、本発明に係るパーソナル空調システムは、室内が、床から立ち上げられたパーティションに囲まれた上方に開放するタスク域と、当該タスク域に隣接するアンビエント域に区画され、前記タスク域内のみ空調されていることを特徴としている。
本発明では、室内をタスク域とアンビエント域にパーティションで仕切り、タスク域内のみ空調する構成としているので、タスク域のみに空調空気が通気し、タスク域を効果的に空調することができる。
【０００７】
具体的には、前記室内を全面床吹出し空調とし、前記アンビエント域の床面に通気を遮断するための遮断シートを敷きつめてもよいし、あるいは、前記タスク域にパーソナル吹出し口を設けてもよい。
【０００８】
また、本発明に係るパーソナル空調システムでは、前記タスク域に設置された人感センサが執務者を感知して前記パーソナル吹出し口から空調空気が吹き出すようにしてもよい。これにより、ランニングコストを節約することができる。
【発明の効果】
【０００９】
本発明に係るパーソナル空調システムでは、空調された室内をタスク域とアンビエント域にパーティションで仕切る構成としているので、タスク域のみに空調空気が通気し、タスク域を効果的に空調することができる。
【発明を実施するための最良の形態】
【００１０】
以下、本発明に係るパーソナル空調システムについて図面に基づいて説明する。
図１は、本パーソナル空調システムの概略構成を示したものである。
室内Ｒは、床３から立ち上げられたパーティション２により、タスク域Ｔ（執務スペース）とアンビエント域Ａ（人の滞在が非定常であるスペース）に仕切られている。
【００１１】
室内Ｒは全面床吹出し空調とされており、二重床とされた床下が給気チャンバ５として利用される。一方、天井４には吸気口４ａが設けられており、天井４より上は還気チャンバ６として利用される。
また、室に隣接して空調機械室Ｋが設けられており、空調機械室Ｋには空調機１が設置されている。
【００１２】
図２に床３の断面を示す。本床３は、通気性ＯＡフロア７と、その上に敷きつめられた通気性タイルカーペット９から構成されており、アンビエント域Ａのみ、通気性ＯＡフロア７と通気性タイルカーペット９との間に、通気を遮断するための遮断フィルム８（遮断シート）がアンビエント域Ａの床３全面に渡って敷きつめられている。
ここで、通気性ＯＡフロア７は、方形パネル（図示省略）の四隅を支持脚（図示省略）で支持する二重床構造となっており、均一に空気が滲み出すように、方形パネルには複数の孔が設けられている。また、通気性タイルカーペット９は、表面材として従来のタイルカーペットと同素材を使用し、繊維で補強された通気繊維素材を裏打ち材に使用したものである。
一方、遮断フィルム８は、空調空気を遮断できるシート状のものであればよく、例えばビニールシートなどを用いることができる。
【００１３】
図３はタスク域の斜視図である。
タスク域Ｔは、個人の執務スペースごとに高さ１．２〜２ｍ程度のパーティション２で四方を囲まれており、タスク域Ｔの上方は開放している。また、パーティション２の一部はパーティションドア２ａとなっている。
【００１４】
次に、上記の構成を有する本パーソナル空調システムの空気の流れについて説明する。
空調機１から吹き出された空気は、床下に設けられた給気チャンバ５を介して、タスク域Ｔの床３全面から上方に向けて微速にて吹き出される。タスク域Ｔに吹き出された空気流はタスク域Ｔ内を上昇し、天井４に設けられた吸気口４ａに吸い込まれた後、還気チャンバ６を介して空調機１に還流する。
【００１５】
本実施形態によるパーソナル空調システムでは、全面床吹出し空調とされた室内Ｒをタスク域Ｔとアンビエント域Ａにパーティション２で仕切り、さらにアンビエント域Ａの床３には通気を遮断するための遮断フィルム８を敷きつめているので、タスク域Ｔのみに空調空気が通気し、タスク域Ｔを効果的に空調することができる。
【００１６】
特に、本パーソナル空調システムは冷房時に効果的である。冷房時、タスク域Ｔに微速にて吹き出した空調空気は、温度差によりパーティション２に囲まれたタスク域Ｔに蓄積される。このため、タスク域Ｔに吹き出された空調空気はアンビエント域Ａの空気と混合せず、タスク域Ｔの空間のみに冷涼空間が形成される。また、タスク域Ｔは床下から吹き出したばかりの空気齢の若い空調空気で満たされるため、執務域における空気質が向上する。
【００１７】
図４、図５、および図７は、本発明に係るパーソナル空調システムの他の実施形態を示した図である。
図４のパーソナル空調システムでは、執務者ごとに設けられたパーソナル吹出し口１０がタスク域Ｔの床３に設けられており、執務者の温熱感を反映した快適な室内環境を実現することができる。図６に示すように、パーソナル吹出し口１０は、中央に凹陥部が形成された平面視方形の基板１０ａと、凹陥部に配設され、基板１０ａ上を水平方向にスライドする可動蓋１０ｂとからなり、基板１０ａおよび可動蓋１０ｂには、それぞれスリット１０ｃ、１０ｄが形成されている。執務者は着座した状態にて足で可動蓋１０ｂをスライドさせることにより好みに応じて、パーソナル吹出し口１０からの吹出量を０〜１００％に調整することができる。また、スリット１０ｃ、１０ｄは、ここから吹き出される空調空気に方向性を持たせるため、鉛直方向に対して１５度の傾斜角度を有している。
【００１８】
なお、タスク域Ｔに人感センサを設置し、人感センサが執務者を感知することにより、パーソナル吹出し口１０から空調空気が吹き出すようにしてもよい。これにより、ランニングコストを節約することができる。
【００１９】
また、図５のパーソナル空調システムは、パーティション２をさらに高くしてハイパーティション１２としたものである。これにより、タスク域Ｔ内における冷気の蓄積効果をより高めることができる。
【００２０】
さらに、図７のパーソナル空調システムでは、床１３が全面床吹出し空調ではなく、通気性のない通常のＯＡフロアであり、パーティション２で仕切られた各タスク域Ｔごとに、パーソナル吹出し口２０が床１３に設けられている。各パーソナル吹出し口２０には人感センサー（図示省略）が組み込まれており、人感センサが執務者を感知してパーソナル吹出し口２０から空調空気が吹き出すようになっている。これにより、大幅なエネルギー削減を図ることができる。
【００２１】
以上、本発明の実施形態について説明したが、本発明は上記の実施形態に限定されるものではなく、その趣旨を逸脱しない範囲で適宜変更可能である。例えば、上記実施形態では、アンビエント域の床に遮断フィルムと通気性タイルカーペットを用いた例を示したが、これに代えて、バッキング材に塩化ビニール樹脂等を用いた通気性の無いタイルカーペットを用いてもよい。
【図面の簡単な説明】
【００２２】
【図１】本発明に係るパーソナル空調システムの一実施形態を示す概略構成図である。
【図２】床の断面図である。
【図３】タスク域の斜視図である。
【図４】本発明に係るパーソナル空調システムの他の実施形態を示した斜視図である。
【図５】本発明に係るパーソナル空調システムの他の実施形態を示した斜視図である。
【図６】パーソナル吹出し口を示し、（ａ）は平面図、（ｂ）は側断面図である。
【図７】本発明に係るパーソナル空調システムの他の実施形態を示す概略構成図である。
【符号の説明】
【００２３】
１  空調機
２  パーティション
２ａ  パーティションドア
３、１３  床
４  天井
４ａ  吸気口
５  給気チャンバ
６  還気チャンバ
７  通気性ＯＡフロア
８  遮断フィルム（遮断シート）
９  通気性タイルカーペット
１０、２０  パーソナル吹出し口
１２  ハイパーティション
Ｒ  室内
Ｔ  タスク域
Ａ  アンビエント域
Ｋ  空調機械室
【図１】
2007155222.tif 000003
【図２】
2007155222.tif 000004
【図３】
2007155222.tif 000005
【図４】
2007155222.tif 000006
【図５】
2007155222.tif 000007
【図６】
2007155222.tif 000008
【図７】
2007155222.tif 000009